(57)【要約】【課題】同時撮像された複数の撮像映像信号に対応する機器の構成の簡略化【解決手段】複数の撮像手段１０１，１０２で得られた複数の撮像映像信号Ｐ１，Ｐ２を、垂直同期タイミングで選択（１０４）することで１系統の合成映像信号Ｐｍｉｘ０とする。合成映像信号Ｐｍｉｘ０を圧縮手段１０５で圧縮し、記録又は送信する。さらに、記録媒体から再生された、或いは受信された圧縮合成映像信号Ｐｍｉｘ２については、伸長手段１０７で圧縮を解除し、また映像分配処理として単に垂直同期タイミングで選択（１０９）していくことで、元の複数系統の映像信号とする。合成時のフィールド単位での選択によって失われたフィールドについては、補間処理を行う。【選択図】        図１
2004320507.tif 000002
【特許請求の範囲】
【請求項１】
同一の同期信号に基づいて同期して供給される複数の映像信号を、上記同期信号における垂直同期タイミングで順次選択することで、上記各映像信号を合成した合成映像信号を得る合成手段と、
上記合成手段で得られた合成映像信号に対して圧縮処理を行う圧縮手段と、
を備えたことを特徴とする映像信号処理装置。
【請求項２】
上記圧縮手段で圧縮された圧縮合成映像信号を記録媒体に記録する記録手段を、さらに備えたことを特徴とする請求項１に記載の映像信号処理装置。
【請求項３】
上記圧縮手段で圧縮された圧縮合成映像信号を送信出力する送信手段を、さらに備えたことを特徴とする請求項１に記載の映像信号処理装置。
【請求項４】
同一の同期信号に基づいて同期して供給された複数の映像信号を、上記同期信号における垂直同期タイミングで順次選択することで合成し、合成後に圧縮処理した圧縮合成映像信号に対して、
上記圧縮処理に対する伸長処理を行い、圧縮を解かれた合成映像信号を得る伸長手段と、
上記伸長手段から出力された合成映像信号を、垂直同期タイミングで順次選択していくことで、複数の映像信号を得る映像分配手段と、
を備えたことを特徴とする映像信号処理装置。
【請求項５】
上記映像分配手段によって出力された映像信号に対して補間処理を行う補間手段を、さらに備えたことを特徴とする請求項４に記載の映像信号処理装置。
【請求項６】
記録媒体に対する再生手段をさらに備え、
上記伸長手段に入力される圧縮合成映像信号は、上記再生手段によって記録媒体から再生された信号であることを特徴とする請求項４に記載の映像信号処理装置。
【請求項７】
受信手段をさらに備え、
上記伸長手段に入力される圧縮合成映像信号は、上記受信手段によって受信された信号であることを特徴とする請求項４に記載の映像信号処理装置。
【請求項８】
同一の同期信号に基づいて同期して供給された複数の映像信号を、上記同期信号における垂直同期タイミングで順次選択することで、上記複数の映像信号を合成した合成映像信号を得、
上記合成映像信号に対して圧縮処理を行い、
上記圧縮された圧縮合成映像信号について、記録媒体への記録、又は送信出力を行うことを特徴とする映像信号処理方法。
【請求項９】
同一の同期信号に基づいて同期して供給された複数の映像信号を、上記同期信号における垂直同期タイミングで順次選択することで合成し、合成後に圧縮処理した圧縮合成映像信号に対して、
上記圧縮処理に対する伸長処理を行い、圧縮を解かれた合成映像信号を得、
上記合成映像信号を、垂直同期タイミングで順次選択していくことで、複数の映像信号を出力することを特徴とする映像信号処理方法。
【請求項１０】
さらに、上記出力された映像信号に対して補間処理を行うことを特徴とする請求項９に記載の映像信号処理方法。
【請求項１１】
同期信号発生手段と、
上記同期信号発生手段からの同期信号に基づいて撮像を行って撮像映像信号を出力する複数の撮像手段と、
上記複数の撮像手段によって得られた複数の撮像映像信号を、上記同期信号における垂直同期タイミングで順次選択することで、上記複数の撮像映像信号を合成した合成映像信号を得る合成手段と、
上記合成手段で得られた合成映像信号に対して圧縮処理を行う圧縮手段と、
を備えたことを特徴とする撮像装置。
【請求項１２】
上記圧縮手段で圧縮された圧縮合成映像信号を記録媒体に記録する記録手段を、さらに備えたことを特徴とする請求項１１に記載の撮像装置。
【請求項１３】
上記圧縮手段で圧縮された圧縮合成映像信号を送信出力する送信手段を、さらに備えたことを特徴とする請求項１１に記載の撮像装置。
【請求項１４】
同一の同期信号に基づいて撮像を行う複数の撮像手段によって得られた複数の撮像映像信号を、上記同期信号における垂直同期タイミングで順次選択することで合成し、合成後に圧縮処理した圧縮合成映像信号を、記録媒体から再生する再生手段と、
上記再生手段によって記録媒体から再生された圧縮合成映像信号について、上記圧縮処理に対する伸長処理を行い、圧縮を解かれた合成映像信号を得る伸長手段と、
上記伸長手段から出力された合成映像信号を、垂直同期タイミングで順次選択していくことで、複数の映像信号を得る映像分配手段と、
を備えたことを特徴とする再生装置。
【請求項１５】
上記映像分配手段によって出力された映像信号に対して補間処理を行う補間手段を、さらに備えたことを特徴とする請求項１４に記載の再生装置。
【請求項１６】
同一の同期信号に基づいて撮像を行う複数の撮像手段によって得られた複数の撮像映像信号を、上記同期信号における垂直同期タイミングで順次選択することで合成し、合成後に圧縮処理した圧縮合成映像信号を、受信する受信手段と、
上記受信手段によって受信された圧縮合成映像信号について、上記圧縮処理に対する伸長処理を行い、圧縮を解かれた合成映像信号を得る伸長手段と、
上記伸長手段から出力された合成映像信号を、垂直同期タイミングで順次選択していくことで、複数の映像信号を得る映像分配手段と、
を備えたことを特徴とする受信装置。
【請求項１７】
上記映像分配手段によって出力された映像信号に対して補間処理を行う補間手段を、さらに備えたことを特徴とする請求項１６に記載の受信装置。
【発明の詳細な説明】
【０００１】
【発明の属する技術分野】
本発明は、映像信号処理装置、映像信号処理方法、撮像装置、再生装置、受信装置に関し、特に複数の同期した映像信号に対する処理に係るものである。
【０００２】
【従来の技術】
【特許文献１】特開平７−２１２７４８
例えば携帯用ビデオカメラなどとして撮像装置が普及しており、業務用や一般家庭用途などに用いられている。
また、上記特許文献１のように監視用カメラとしての各種技術も提案されている。
【０００３】
【発明が解決しようとする課題】
ところで近年、例えば１台の撮像装置（ビデオカメラ）において、２つのカメラ部を搭載し、同時に２系統の撮像映像信号を得ることができるようにしたものが提案されている。例えばメインカメラとサブカメラを搭載し、異なる被写体方向や異なるズーム状態などで撮像したり、前方と後方を同時に撮像できるような撮像装置である。
このように複数系統の撮像映像信号を得ることができる撮像装置では、当然ながら撮像信号の処理回路系も複数系統搭載されていた。
例えば撮像映像信号を圧縮してディスクその他の記録媒体に記録するようにした撮像装置の構成例を図９に示す。
【０００４】
図９の撮像装置は、第１カメラ部２０１，第２カメラ部２０２を備える。
第１、第２カメラ部２０１，２０２は、それぞれレンズ系、ＣＣＤ撮像素子、映像信号処理回路などを搭載し、それぞれ撮像に応じて撮像映像信号Ｐ１，Ｐ２を出力する。
また、この第１，第２カメラ部２０１，２０２は、同期信号発生部２０３からの共通の同期信号ＳＹに基づいて撮像映像信号処理を行う。つまり、各カメラ部２０１，２０２は、同期して撮像を行う。
【０００５】
第１カメラ部２０１からの撮像映像信号Ｐ１は、第１圧縮系２０４としての回路部で圧縮処理される。例えばＭＰＥＧ方式などの圧縮処理である。
また第２カメラ部２０２からの撮像映像信号Ｐ２は、第２圧縮系２０５としての回路部で同様に圧縮処理される。
第１圧縮系２０４で圧縮された撮像映像信号と、第２圧縮系２０５で圧縮された撮像映像信号は、それぞれ記録系回路に供給され、各々独立した映像データとして記録メディア９０に記録される。
これら同時的に得られる２つの映像信号は、記録に際して時分割的に交互に記録処理されたり、或いは複数の記録ヘッドを備えた記録機構が構成されていれば、同時進行的に記録される。
【０００６】
記録した映像信号の再生時には、第１カメラ部２０１で撮像された映像信号は、記録メディア９０から再生されると第１伸長系２０７としての回路に供給され、上記圧縮処理に対する伸長処理が行われる。
また、第２カメラ部２０２で撮像された映像信号は、記録メディア９０から再生されると第２伸長系２０８としての回路に供給され、上記圧縮処理に対する伸長処理が行われる。
そして第１、第２伸長系２０７，２０８でそれぞれ圧縮が解かれた映像信号とされ、それぞれ表示部２０９、２１０に供給されて表示される。
【０００７】
このような複数のカメラ部を備えた撮像装置では、２系統の撮像映像信号に対する処理系として、例えば図のように第１、第２圧縮系２０４，２０５、及び第１，第２伸長系２０７，２０８として、同様の信号処理回路が２系統必要になる。また、同時に供給される２系統の映像信号の記録のために、記録メディア９０に対する記録系においては高速記録処理、時分割記録処理などの高機能化が求められ、或いは複数ヘッド機構など構成の複雑化が必要となる。
このため、構成の複雑化、大幅なコストアップ、回路規模の大型化などの問題が生ずる。
【０００８】
【課題を解決するための手段】
そこで本発明は、複数系統の同期した映像信号を同時的に処理する機器において、回路規模の小型化、簡略化、コストダウン等を実現することを目的とする。
【０００９】
このため本発明の映像信号処理装置は、同一の同期信号に基づいて同期して供給された複数の映像信号を、上記同期信号における垂直同期タイミングで順次選択することで、上記複数の映像信号を合成した合成映像信号を得る合成手段と、上記合成手段で得られた合成映像信号に対して圧縮処理を行う圧縮手段とを備えるようにする。
上記圧縮手段で圧縮された圧縮合成映像信号は、記録手段により記録媒体に記録する。又は送信手段により送信出力する。
【００１０】
また本発明の映像信号処理装置は、上記圧縮合成映像信号に対して、上記圧縮処理に対する伸長処理を行い、圧縮を解かれた合成映像信号を得る伸長手段と、上記伸長手段から出力された合成映像信号を、垂直同期タイミングで順次選択していくことで、複数の映像信号を得る映像分配手段とを備えるようにする。
また、上記映像分配手段によって出力された映像信号に対して補間処理を行う補間手段をさらに備える。
これらの場合、上記圧縮合成映像信号は、再生手段によって記録媒体から再生された信号、或いは受信手段によって受信された信号である。
【００１１】
本発明の映像信号処理方法は、同一の同期信号に基づいて同期して供給された複数の映像信号を、上記同期信号における垂直同期タイミングで順次選択することで、上記複数の映像信号を合成した合成映像信号を得、上記合成映像信号に対して圧縮処理を行い、上記圧縮された圧縮合成映像信号について、記録媒体への記録、又は送信出力を行う。
また本発明の映像信号処理方法は、上記圧縮合成映像信号に対して、上記圧縮処理に対する伸長処理を行い、圧縮を解かれた合成映像信号を得、上記合成映像信号を、垂直同期タイミングで順次選択していくことで、複数の映像信号を出力する。また上記出力された映像信号に対して補間処理を行う。
【００１２】
本発明の撮像装置は、同期信号発生手段と、上記同期信号発生手段からの同期信号に基づいて撮像を行って撮像映像信号を出力する複数の撮像手段と、上記複数の撮像手段によって得られた複数の撮像映像信号を、上記同期信号における垂直同期タイミングで順次選択することで、上記複数の撮像映像信号を合成した合成映像信号を得る合成手段と、上記合成手段で得られた合成映像信号に対して圧縮処理を行う圧縮手段とを備える。
上記圧縮手段で圧縮された圧縮合成映像信号は、記録手段により記録媒体に記録する。又は送信手段により送信出力する。
【００１３】
本発明の再生装置は、上記圧縮合成映像信号を、記録媒体から再生する再生手段と、上記再生手段によって記録媒体から再生された圧縮合成映像信号について、上記圧縮処理に対する伸長処理を行い、圧縮を解かれた合成映像信号を得る伸長手段と、上記伸長手段から出力された合成映像信号を、垂直同期タイミングで順次選択していくことで、複数の映像信号を得る映像分配手段とを備える。さらに、上記映像分配手段によって出力された映像信号に対して補間処理を行う補間手段を備える。
【００１４】
本発明の受信装置は、上記圧縮合成映像信号を、受信する受信手段と、上記受信手段によって受信された圧縮合成映像信号について、上記圧縮処理に対する伸長処理を行い、圧縮を解かれた合成映像信号を得る伸長手段と、上記伸長手段から出力された合成映像信号を、垂直同期タイミングで順次選択していくことで、複数の映像信号を得る映像分配手段とを備える。さらに、上記映像分配手段によって出力された映像信号に対して補間処理を行う補間手段を備える。
【００１５】
以上のような本発明では、複数系統の同期した映像信号（例えば撮像映像信号）について垂直同期タイミングで順次選択することで合成する。具体的には、例えば映像信号のフィールド単位で各系統の撮像映像信号を選択していくことで、１系統の合成映像信号とする。これにより、圧縮手段は１系統の合成映像信号に対応すればよい。
また、このように合成され圧縮された映像信号については、伸長処理した後、例えばフィールド単位で順次選択していくことで、元の複数系統の映像信号とすることができる。さらに、合成時のフィールド単位での選択によって失われたフィールドについては、補間処理を行えばよい。
【００１６】
【発明の実施の形態】
以下、本発明の実施の形態について説明していく。
まず、図１，図２で、実施の形態に適用される基本的な構成について説明する。
本例の場合、例えば１台の撮像装置（ビデオカメラ）においては、図１に示すように、第１カメラ部１０１，第２カメラ部１０２として２つのカメラ部を備える。例えば第１カメラ部１０１がメインカメラ、第２カメラ部１０２がサブカメラとされたり、一方が前方、他方が後方を撮像するように形成される。２つのカメラ部１０１，１０２の撮像方向、撮像範囲（視野角度）、ズーム・パン等の機能などは、それぞれ実際の機器において任意に設定される。
【００１７】
第１、第２カメラ部１０１，１０２は、それぞれレンズ系、ＣＣＤ撮像素子、映像信号処理回路などを搭載し、それぞれ撮像に応じて撮像映像信号Ｐ１，Ｐ２を出力する。
また、この第１，第２カメラ部１０１，１０２は、同期信号発生部１０３からの共通の同期信号ＳＹに基づいて撮像映像信号処理を行う。つまり、各カメラ部１０１，１０２は、同期して撮像を行う。
【００１８】
ここで、第１，第２カメラ部１０１，１０２から出力される各撮像映像信号Ｐ１，Ｐ２は、それぞれ映像合成部１０４に供給される。
映像合成部１０４は、同期信号発生部１０３から同期信号ＳＹが供給されており、同期信号ＳＹに基づいて切換を行う回路とされる。具体的には、垂直同期タイミング毎に接続端子を切り換えていくことで映像選択を行う。
撮像映像信号Ｐ１，Ｐ２が、インターレース方式の映像信号であるとすると、映像合成部１０４はフィールド単位で撮像映像信号Ｐ１，Ｐ２を選択し、出力するものとなる。
【００１９】
図２にその様子を模式的に示す。
図２（ａ）においては同期信号ＳＹにおける垂直同期タイミングを、その垂直期間毎にＯｄｄ／Ｅｖｅｎとして示している。即ちこれは、映像信号の奇数フィールドと偶数フィールドに相当するタイミングである。
第１カメラ部１０１からは図２（ｂ）のように撮像映像信号Ｐ１が出力される。撮像映像信号Ｐ１の奇数フィールドをＯ１＃０、Ｏ１＃１・・・とし、偶数フィールドをＥ１＃０、Ｅ１＃１・・・として示している。
また第２カメラ部１０２からは図２（ｃ）のように撮像映像信号Ｐ２が出力される。撮像映像信号Ｐ２の奇数フィールドをＯ２＃０、Ｏ２＃１・・・とし、偶数フィールドをＥ２＃０、Ｅ２＃１・・・として示している。
例えば映像合成部１０４では、奇数フィールドのタイミングで撮像映像信号Ｐ１を選択し、偶数フィールドのタイミングで撮像映像信号Ｐ２を選択するように、切換動作を行う。
すると、映像合成部１０４から出力される映像信号は、図２（ｄ）のように、Ｏ１＃０、Ｅ２＃０、Ｏ１＃１、Ｅ２＃１、Ｏ１＃２、Ｅ２＃２・・・という各フィールドが連続する信号となる。つまり、撮像映像信号Ｐ１の奇数フィールドと、撮像映像信号Ｐ２の偶数フィールドが順番に連続された合成映像信号Ｐｍｉｘ０とされる。
【００２０】
合成映像信号Ｐｍｉｘ０は、圧縮部１０５に供給され、例えばＭＰＥＧ方式、ＪＰＥＧ方式などの圧縮処理が施されて圧縮合成映像信号Ｐｍｉｘ１とされる。
この圧縮合成映像信号Ｐｍｉｘ１は、記録再生部１０６に供給され、所定の記録メディア９０に記録される。つまり、撮像映像信号Ｐ１，Ｐ２が合成され、圧縮された圧縮合成映像信号Ｐｍｉｘ１が、１つの映像コンテンツとして記録されるものとなる。
なお記録メディア９０としては、例えばビデオカメラに装填されたディスクやメモリカード、磁気テープ、或いは内蔵されたＨＤＤ（ハードディスクドライブ）、半導体メモリなど、各種のものが考えられる。
【００２１】
記録再生部１０６により記録メディア９０から映像信号を再生する場合、再生される映像信号Ｐｍｉｘ２は、上記映像信号Ｐｍｉｘ１の状態であり、即ち圧縮合成映像信号である。
この再生された圧縮合成映像信号Ｐｍｉｘ２は、伸長部１０７に供給される。伸長部１０７は、上記圧縮部１０５での圧縮処理に対する伸長処理を行い、圧縮の解除された映像信号、即ち上記の合成映像信号Ｐｍｉｘ０と同様の合成映像信号Ｐｍｉｘ３を出力し、映像分配部１０９に供給する。
また伸長部１０７は、伸長処理タイミングをタイミング発生部１０８に伝える。タイミング発生部１０８では、伸長部１０７が出力した映像信号の各垂直同期期間（フィールド期間）に相当する伸長タイミング信号ＴＭを発生させ、映像分配部１０９に供給する。
【００２２】
映像分配部１０９は、伸長タイミング信号ＴＭに基づいて出力切換を行うことで、合成映像信号Ｐｍｉｘ３を個々の映像信号に分離させる。即ちフィールドタイミング毎に出力端子を選択することで、合成映像信号Ｐｍｉｘ３について、例えば奇数フィールドのみを補間部１１１側に出力し、また偶数フィールドのみを補間部１１２側に出力する。
奇数フィールドが供給される補間部１１１は、その供給される映像信号には偶数フィールドのデータが存在しないため、補間処理によりこれを生成する。そして補間処理した映像信号Ｐ１’を出力する。この映像信号Ｐ１’は、即ち撮像映像信号Ｐ１に相当する再生映像信号である。
偶数フィールドが供給される補間部１１２は、その供給される映像信号には奇数フィールドのデータが存在しないため、補間処理によりこれを生成する。そして補間処理した映像信号Ｐ２’を出力する。この映像信号Ｐ２’は、即ち撮像映像信号Ｐ２に相当する再生映像信号である。
【００２３】
ここまでの処理の様子を図３に示す。
記録メディア９０から再生され、伸長部１０７で伸長された合成映像信号Ｐｍｉｘ３は図３（ｂ）のようになる。即ち図２（ｄ）の合成映像信号Ｐｍｉｘ０と同様に、撮像映像信号Ｐ１の奇数フィールドと、撮像映像信号Ｐ２の偶数フィールドが順番に連続された合成映像信号であり、図示するようにＯ１＃０、Ｅ２＃０、Ｏ１＃１、Ｅ２＃１、Ｏ１＃２、Ｅ２＃２・・・という各フィールドが連続する信号である。
タイミング発生部１０８では、伸長部１０７の伸長処理出力に同期して、図３（ａ）のようにフィールド期間を示す伸長タイミング信号ＴＭを出力する。
そして映像分配部１０９は、伸長タイミング信号ＴＭが奇数フィールドを示す期間は、合成映像信号Ｐｍｉｘ３を補間部１１１に出力し、一方伸長タイミング信号ＴＭが偶数フィールドを示す期間は、合成映像信号Ｐｍｉｘ３を補間部１１２に出力する。
従って補間部１１１には、合成映像信号Ｐｍｉｘ３の偶数フィールドのデータＯ１＃０、Ｏ１＃１、Ｏ１＃２・・・が供給される。そして補間部１１１は、例えば偶数フィールドのデータをコピーして奇数フィールドを生成する補間処理を行い、図３（ｃ）のように映像信号Ｐ１’を生成する。
また補間部１１２には、合成映像信号Ｐｍｉｘ３の奇数フィールドのデータＥ１＃０、Ｅ１＃１、Ｅ１＃２・・・が供給される。そして補間部１１２は、例えば奇数フィールドのデータをコピーして偶数フィールドを生成する補間処理を行い、図３（ｄ）のように映像信号Ｐ２’を生成する。
なお、補間部１１１，１１２での補間処理は、フィールドデータのコピーによる補間だけでなく、他の補間処理、例えば前後フィールドの相関や動き予測等を用いた補間処理を行っても良いことはいうまでもない。
【００２４】
このようにして、記録メディア９０から再生された圧縮合成映像信号Ｐｍｉｘ２は、最終的に撮像映像信号Ｐ１に相当する映像信号Ｐ１’、及び撮像映像信号Ｐ２に相当する映像信号Ｐ２’とされ、それぞれ所定の表示部１２１，１２２で表示させることができる。
【００２５】
ところで、撮像映像信号Ｐ１，Ｐ２を合成及び圧縮して記録メディア９０に記録するほかに、送信出力することも考えられる。
その場合、送信部１１５が設けられ、圧縮部１０５で得られた圧縮合成映像信号Ｐｍｉｘ１が送信部１１５に供給されるようにする。
送信部１１５は、圧縮合成映像信号Ｐｍｉｘ１について所定の伝送フォーマットのエンコードを行い、有線又は無線の伝送路により他の機器に送信する。
【００２６】
また、上記送信部１１５により圧縮合成映像信号Ｐｍｉｘ１が送信されてきた機器においては、受信部１１６が設けられる。
当該受信機器側では、受信部１１６で受信した圧縮合成映像信号Ｐｍｉｘ２（＝Ｐｍｉｘ１）を伸長部１０７に供給する。そして受信機器側も、伸長部１０７、タイミング発生部１０８、映像分配部１０９、補間部１１１，１１２を備えていることで、上記同様に映像信号Ｐ１’，Ｐ２’を得ることができ、所定の表示部１２１，１２２で表示させることができる。
なお、送信部１１５と受信部１１６の間の伝送路としては多様に考えられる。例えば公衆回線、専用回線、衛星通信、ＬＡＮ、インターネット等のネットワーク、無線通信、赤外線通信、光通信、光ファイバ網、近距離無線通信、放送通信などである。
【００２７】
本発明の実施の形態は以上のような基本構成を備える。
そしてこのような構成により、２系統の撮像映像信号Ｐ１，Ｐ２に対する処理系として、１つの圧縮部１０５で対応でき、また記録再生部では１系統の圧縮合成映像信号の記録及び再生を行うものであればよい。つまり通常の記録再生処理でよい。送信部１１５、受信部１１６も同様に、２系統の映像信号の通信を通常の１系統の映像信号の通信処理により実現できる。
また、記録メディア９０への記録については２系統分のデータ量が１系統分となるため、記録メディア９０の容量を節約でき、長時間の撮像にも好適である。さらにこのことは通信に関してもデータ量の削減を実現することになり、通信速度の向上、あるいは低レートの伝送路での通信の可能性等をもたらす。
【００２８】
また再生又は受信した圧縮合成映像信号Ｐｍｉｘ２については、１つの伸長部１０７で圧縮を解くことができる。
さらに、映像合成部１０４、及び映像分配部１０９は、それぞれフィールドタイミングでの切換を行うのみであるため、非常に簡易な回路構成で実現できる。
従って、２系統の同時の撮像映像信号Ｐ１，Ｐ２を処理する機器として、構成を簡略化でき、コストダウンや小型化に好適となる。
【００２９】
なお、図１の構成において、第１，第２カメラ部１０１，１０２のうち、一方のカメラ部の撮像映像信号の処理が必要ない（つまり一方のみで撮像を行いたい）場合は、単に映像合成部１０４のフィールド単位の切換を実行させず、一方の撮像映像信号のみを選択するようにすればよい。
つまり、通常の１系統の撮像映像信号の処理にも非常に容易に対応できるものである。
【００３０】
以上のような図１の構成に沿っていえば、本発明の映像信号処理装置の実施の形態としては、少なくとも映像合成部１０４、圧縮部１０５を備えればよい。またさらに記録再生部１０６、もしくは送信部１１５を備えてもよい。
また本発明の映像信号処理装置の実施の形態としては、少なくとも伸長部１０７、タイミング発生部１０８、映像分配部１０９を備えればよい。また、さらに記録再生部１０６、もしくは受信部１１６を備えてもよい。さらには、補間部１１１，１１２を備えてもよい。
本発明の撮像装置の実施の形態としては、第１、第２カメラ部１０１、１０２、同期信号発生部１０３、映像合成部１０４、圧縮部１０５を備えればよい。またさらに記録再生部１０６、もしくは送信部１１５を備えてもよい。
本発明の再生装置の実施の形態としては、記録再生部１０６、伸長部１０７、タイミング発生部１０８、映像分配部１０９を備えればよい。さらには、補間部１１１，１１２を備えてもよい。
本発明の受信装置の実施の形態としては、受信部１１６、伸長部１０７、タイミング発生部１０８、映像分配部１０９を備えればよい。さらには、補間部１１１，１１２を備えてもよい。
本発明の映像信号処理方法としては、図１及び図２で説明した処理が行われればよい。
また本発明の映像信号処理方法としては、図１及び図３で説明した処理が行われればよい。
【００３１】
続いて、より具体的な実施の形態の例を説明する。
図４に、一般ユーザ用としても、また警察官や警備員による警備用途としても好適なビデオカメラの外観例を示す。
このビデオカメラは、カメラユニット１とコントロールユニット１０から構成される。カメラユニット１とコントロールユニット１０はケーブル３１により信号伝送可能に接続される。
【００３２】
カメラユニット１は、例えば図５に示すように使用者の肩に装着される。一方、コントロールユニット１０は使用者の腰、或いは衣服のポケット等に装着又は保持される形態とし、即ち使用者が手を使用せずに、携帯しながらの撮像が可能な状態とされる。
カメラユニット１を肩に装着する手法は多様に考えられ、ここでは詳述しないが、使用者の衣服（警備用のジャケット等）に、カメラユニット１の台座部６を保持する機構が形成されたり、或いは装着用ベルトなどによって肩部分に装着されるようにすればよい。
なお、カメラユニット１が例えば使用者がかぶるヘルメットの上部や側面に固定されたり、或いは胸部、腕部に装着されるなども考えられるが、肩部分は、使用者が歩行している場合でも最も揺れが少ない部分であり、従って撮像を行うカメラユニット１を装着する部位としては最適である。
【００３３】
図４に示すように、カメラユニット１には、前方カメラ部２ａと後方カメラ部２ｂの２つのカメラ部が設けられる。また前後カメラ部２ａ，２ｂに対応して前方マイクロフォン３ａ、後方マイクロフォン３ｂも設けられる。
前方カメラ部２ａは、図５の装着状態において使用者の前方の光景を撮像するものとされ、後方カメラ部２ｂは使用者の後方の光景を撮像するものとされる。
前方カメラ部２ａと後方カメラ部２ｂは、それぞれ広角レンズを搭載しており、その撮像視野角は図６に示すように比較的広角とされ、前方カメラ部２ａと後方カメラ部２ｂを合わせることで、使用者の周囲をほぼ全周にわたって撮像できるようにしている。
前方マイクロフォン３ａは、図５の状態で使用者の前方方向に高い指向性を有するマイクロフォンとされ、前方カメラ部２ａで撮像する光景に対応する音声を集音する。
後方マイクロフォン３ｂは、図５の状態で使用者の後方に高い指向性を有するマイクロフォンとされ、後方カメラ部２ｂで撮像する光景に対応する音声を集音する。
【００３４】
なお、前方カメラ部２ａと後方カメラ部２ｂの各撮像範囲としての前方視野角及び後方視野角をどの程度とするかは、採用するレンズ系の設計などにより各種設定できることは言うまでもない。当該ビデオカメラの使用が想定される状況に応じて視野角が設定されればよい。もちろん、前方視野角と後方視野角を同角度とする必要もなく、また機種によっては、視野角をあえて狭く設計することも考えられる。
前方マイクロフォン３ａ、後方マイクロフォン３ｂの指向性についても同様であり、用途に応じて各種の設計が考えられる。例えば無指向性のマイクロフォンを１つ配置するような構成も考えられる。
【００３５】
カメラユニット１の上部には発光部４が形成される。例えばＬＥＤ素子などにより発光を行う。この発光部４は、前後カメラ部２ａ、２ｂにより撮像が行われている際に発光を行う。発光態様は連続的な発光でも点滅動作でも良い。
発光部４が発光することにより、周囲の人に、当該ビデオカメラが撮像動作を行っていることを明示する。これは、当該ビデオカメラが盗撮目的で使用されているものではないことを周囲に知らしめるものとなる。また、例えば警備員や警察官が使用している際においては、発光部４により撮像実行中であることが提示されることで、防犯効果を高めるものともなる。
【００３６】
コントロールユニット１０は、カメラユニット１で撮像された映像信号（及び音声信号）をメモリカード３０に記録する記録機能や、アンテナ１２から後述する管理局に送信出力する機能、さらに表示・操作などのユーザーインターフェース機能等を備える。
【００３７】
例えばコントロールユニット１０の前面には、液晶パネル等による表示部１１が設けられる。
また所要位置に通信用のアンテナ１２が形成される。
またメモリカード３０を装着するカードスロット１３が形成される。
さらにスピーカ部１４やヘッドホン端子１９として電子音や音声を出力する部位が形成される。
また例えばＵＳＢ、ＩＥＥＥ１３９４など、所定の伝送規格により情報機器との間でデータ伝送を行うためのケーブル接続端子１５が設けられる。
その他、映像信号や音声信号の入出力端子（デジタル入出力、ライン入出力等）なども設けられる。
【００３８】
使用者が操作を行うための操作子としては、電源スイッチ１６，各種操作キー１８などが形成される。
操作キー１８は、例えばカーソルキー、エンターキー、キャンセルキーなどとして、表示部１１での表示上でカーソル操作を行って操作入力を行うものとして、多様な操作入力が可能なものとしてもよいし、撮像開始、停止、モード設定、送受信その他の各種操作のための専用キーが設けられても良い。
また電源スイッチ１６や操作キー１８については、図示するようにスライドスイッチ形態や押圧スイッチとする以外に（或いはこれらと併用して）、例えばジョグダイヤル、トラックボールなどの操作子を採用しても良い。
【００３９】
本例のビデオカメラの構成については、後に図８で述べるが、例えばこのようにカメラユニット１とコントロールユニット１０によって形成される本例のビデオカメラを図５のように使用者が装着することで、ハンズフリーかつほぼ無意識での撮像が可能となる。従って、何らかの作業をしながらその作業光景を撮像したり、イベント等を楽しみながら撮像したり、警備員や警察官のパトロール中に撮像を行うことに好適となる。
【００４０】
本例のビデオカメラは、撮像した映像データをメモリカード３０に記録する機能と、送信出力する機能を有するが、これらの機能を例えば警備・警察用途を想定した場合により有効化するシステム例を図７に示す。
ビデオカメラのコントロールユニット１０は、例えば公衆回線３２を介して管理局４０とデータ通信が可能とされる。このために例えばコントロールユニット１０には携帯電話或いはＰＨＳ等の通信機能が備えられる。なお、公衆回線３２ではなく、専用回線によって通信可能とされても良い。
【００４１】
管理局４０は、例えば本例のビデオカメラを装着してパトロールを行う一人又は複数人の警察官・警備員を指揮・管理する組織等とする。
管理局には、コントローラ４１，モニタ部４２，操作部４３，ストレージ部４４、リモートアクセスサーバ４５，メモリカードスロット４６等が備えられる。
【００４２】
コントローラ４１は管理局４０内のシステムを制御する。
モニタ部４２は、例えばディスプレイやスピーカ等で構成され、オペレータに映像や音声を出力する。
操作部４３はキーボード等の操作、マイクロホン、カメラ等を備え、オペレータが各種操作入力や情報入力を行うことができるようにされている。
ストレージ部４４はＨＤＤ（ハードディスクドライブ）や光ディスクドライブ、磁気テープドライブなどとされ、記録媒体に対して情報の記録再生を行う。
リモートアクセスサーバ４５は、公衆回線３２を介した管理局４０とビデオカメラのコントロールユニット１０との間の通信動作を行う。
メモリカードスロット４６は、ビデオカメラのコントロールユニット１０において記録媒体とされているメモリカード３０に対するスロットであり、コントローラ４１によってメモリカード３０にアクセス可能とされる。
【００４３】
警備員等が所持するコントロールユニット１０には、カメラユニット１で撮像した映像データ（及び音声データ）を送信する機能が備えられるが、その映像データは公衆回線３２を介して管理局４０に送信される。
管理局４０では、コントローラ４１の制御に基づいて、当該送信されてきた映像データをストレージ部４４に蓄積させたり、モニタ部４２に映像・音声として出力させることができる。
即ち管理局４０においては、警備員等がビデオカメラを所持してパトロールを行うことで、管理局側のオペレータも警備員等がパトロールしている場所の映像や音声を確認でき、また、パトロール中の映像・音声をデータとして蓄積することで、後の捜査、分析、証拠資料などとして利用することができる。
さらに警備員等が使用しているビデオカメラにより撮像されている映像（及び音声）が、このように管理局４０によってもモニタリングされていることが一般に周知されるようにすれば、犯罪抑制効果や警備員等の安全性向上効果も、より増大する。
【００４４】
警備員等がビデオカメラで撮像した映像（及び音声）は、コントロールユニット１０に装填されているメモリカード３０に記録することもできるが、警備員等はパトロール後においてメモリカード３０を管理局４０に受け渡すことで、パトロール報告資料ともなる。管理局４０では、警備員等から受け渡されたメモリカード３０をメモリカードスロット４６に装填し、コントローラ４１の制御によって、メモリカード３０に記録された映像や音声を読み出すことで、当該映像・音声をモニタ部４２に出力させたり、ストレージ部４４に蓄積することができる。
【００４５】
管理局４０からビデオカメラ（コントロールユニット１０）に対しては各種指示情報やデータを送信することができる。
また、警備上の指示を音声データ、画像データ、テキストデータとして送信したり、地図、犯人の写真やモンタージュなどとしての画像や音声をパトロール用の資料として送信できる。
ビデオカメラのコントロールユニット１０では、オペレータの指示や資料としての音声をスピーカ１４やヘッドホン端子１９から出力して使用者に出力する。
また指示や資料として送信されてきた画像データやテキストデータを表示部１１に表示させて使用者に提示する。
【００４６】
なお、ここではビデオカメラと管理局４０の間の通信を述べたが、例えば複数の警備員等が直接的にデータ通信を行うようにしても良い。
例えばコントロールユニット１０が備える通信機能を携帯電話やＰＨＳの通信機能とすることで、一般公衆回線を介して通信が可能となる。またその際に、管理局４０が、いわゆる中継局として機能しても良い。
【００４７】
また、図７のシステムを警備・警察用途として述べたが、一般ユーザーの利用するシステムとしても適用できる。
例えば管理局４０に相当する機能をユーザーの自宅のパーソナルコンピュータが備えるようにし、ビデオカメラで撮像した映像・音声を伝送できるようにする。すると、ユーザーが撮像している映像データは自宅のパーソナルコンピュータにおけるＨＤＤ等に保存できることになる。
このようにすれば、例えばユーザーが撮像時にメモリカード３０を持っていなかった場合や、メモリカード容量の余裕のないときなどでも、それを気にしないで撮像できることとなる。
【００４８】
図８にビデオカメラの構成例を示す。なお、図８では特に撮像映像信号に係る処理系を示すものとし、映像信号処理に直接的に関連しない部分については図示を省略している。
【００４９】
上述したようにカメラユニット１には前方カメラ部２ａ、後方カメラ部２ｂが設けられる。
前方カメラ部２ａによる撮像光はＣＣＤ部５ａによって電気信号に変換され、ゲイン調整、Ａ／Ｄ変換器その他の所定の信号処理を経て撮像映像信号ＰＦとされる。そして、ケーブル３１によりコントロールユニット１０に供給される。
同様に後方カメラ部２ｂによる撮像光はＣＣＤ部５ｂによって電気信号に変換され、ゲイン調整、Ａ／Ｄ変換器その他の所定の信号処理を経て撮像映像信号ＰＲとされる。そしてケーブル３１によりコントロールユニット１０に供給される。
コントロールユニット１０側（或いはカメラユニット１側でもよい）には、同期信号発生部５４が設けられ、前方カメラ部２ａ、後方カメラ部２ｂに対して共通の同期信号ＳＹを供給する。
従って前方カメラ部２ａ、後方カメラ部２ｂは同期して撮像処理を行い、同期した撮像映像信号ＰＦ、ＰＲを出力するものとなる。
【００５０】
コントロールユニット１０において、コントローラ５１は全体の動作制御を行う。コントローラ５１はＣＰＵ、ＲＡＭ、ＲＯＭ、フラッシュＲＯＭ等を備えたマイクロコンピュータにより形成される。
【００５１】
ケーブル３１によりカメラユニット１から伝送されてきた前方カメラ部２ａによる撮像映像信号ＰＦ、及び後方カメラ部２ｂによる撮像映像信号ＰＲは、映像合成部５５の各端子に供給される。
映像合成部５５には、同期信号発生部５４からの同期信号ＳＹが供給されており、同期信号ＳＹに基づいて切換を行う。つまり、図１及び図２で説明したように、垂直同期タイミング（フィールドタイミング）で接続端子を切り換えていくことで、例えば撮像映像信号ＰＦの奇数フィールドと、撮像映像信号ＰＲの偶数フィールドが順番に連続された合成映像信号Ｐｍｉｘ０を出力する。
【００５２】
合成映像信号Ｐｍｉｘ０は、圧縮部５６に供給され、例えばＭＰＥＧ方式などの圧縮処理が施されて圧縮合成映像信号Ｐｍｉｘ１とされ、記録再生部５２に供給される。
記録再生部５２は、図４に示したメモリカードスロット１３に装填されているメモリカード３０に対して記録及び再生を行う。そのアクセス動作はコントローラ５１からのリード／ライト制御信号により制御される。
記録再生部５２はコントローラ５１の制御に基づいて、圧縮部５６から供給された圧縮合成映像信号Ｐｍｉｘ１をメモリカード３０に記録する。
つまり、記録再生部５２は、撮像映像信号ＰＦ，ＰＲが合成され、圧縮された圧縮合成映像信号Ｐｍｉｘ１について、メモリカード３０に対して記録する際の記録フォーマットへのエンコード処理を行い、圧縮合成映像信号Ｐｍｉｘ１を１つの映像コンテンツとして記録するものとなる。
【００５３】
また記録再生部５２は、コントローラ５１の制御に基づいて、メモリカード３０に記録されている映像データを読み出す動作を行う。
メモリカード３０から再生される映像信号Ｐｍｉｘ２は、上記映像信号Ｐｍｉｘ１の状態、即ち圧縮合成映像信号である。
この再生された圧縮合成映像信号Ｐｍｉｘ２は、伸長部５７に供給される。伸長部５７は、上記圧縮部５６での圧縮処理に対する伸長処理を行い、圧縮の解除された映像信号、即ち上記の合成映像信号Ｐｍｉｘ０と同様の合成映像信号Ｐｍｉｘ３を出力し、映像分配部５９に供給する。
また伸長部５７は、伸長処理タイミングをタイミング発生部５８に伝える。タイミング発生部５８では、伸長部５７が出力した映像信号の各垂直同期期間（フィールド期間）に相当する伸長タイミング信号ＴＭを発生させ、映像分配部５９に供給する。
【００５４】
映像分配部５９は、伸長タイミング信号ＴＭに基づいて出力切換を行うことで、合成映像信号Ｐｍｉｘ３を個々の映像信号に分離させる。即ちフィールドタイミング毎に出力端子を選択することで、合成映像信号Ｐｍｉｘ３について、例えば奇数フィールドのみを補間部１１１側に出力し、また偶数フィールドのみを補間部１１２側に出力する。
奇数フィールドが供給される補間部６０は、その供給される映像信号には偶数フィールドのデータが存在しないため、補間処理によりこれを生成する。そして補間処理した映像信号ＰＦ’、即ち撮像映像信号ＰＦに相当する再生映像信号を出力する。
偶数フィールドが供給される補間部６１は、その供給される映像信号には奇数フィールドのデータが存在しないため、補間処理によりこれを生成する。そして補間処理した映像信号ＰＲ’、即ち撮像映像信号ＰＲに相当する再生映像信号を出力する。
この映像分配部５９，補間部６０，６１の処理は、上記図１，図３で説明したとおりである。
【００５５】
このようにしてメモリカード３０から再生された映像信号ＰＦ’、ＰＲ’は、表示部１１で表示させることができる。
コントローラ５１は、例えば操作部１８によるユーザーの操作に応じて、表示部１１への再生映像表示を行う。
【００５６】
この場合、１つの表示部１１に対して、同時的に２系統の映像信号ＰＦ’、ＰＲ’が供給されるが、その表示態様は各種考えられる。
例えば、ユーザーの操作に応じて選択的に一方を表示させても良い。つまりユーザーが任意に前方映像、後方映像を選択して表示させるものである。もちろん再生中にユーザーが前後切換操作を行えば、表示を他方の映像信号による表示に切り換えればよい。
また、表示部１１の表示領域を２つに分割し、いわゆる画面分割して２つの映像を同時に表示させるようにしてもよい。また画面分割の態様としては、１：１の分割だけでなく、いわゆるピクチャーインピクチャーと呼ばれる親子画面表示を行うようにしてもよい。
さらに、コントロールユニット１０に２つの表示部を形成するようにすれば、それぞれの表示部で前方映像（映像信号ＰＦ’）と後方映像（映像信号ＰＲ’）を表示させればよい。
【００５７】
なお、ここでは表示部１１に再生映像を表示させる場合について述べたが、もちろん表示部１１は撮像中のモニタ表示部としても使用できる。
モニタ表示を行うための構成については示していないが、その場合は、前方カメラ部２ａによる撮像映像信号ＰＦと、後方カメラ部２ｂによる撮像映像信号ＰＲが、直接表示部１１に供給される構成を採ればよい。
【００５８】
また、メモリカード３０から再生され、補間部６０，６１から出力される映像信号ＰＦ’、ＰＲ’は、上述した外部インターフェース、例えばＵＳＢ、ＩＥＥＥ１３９４など、所定の伝送規格により情報機器との間でデータ伝送を行うためのケーブル接続端子１５や、映像信号の出力端子（デジタル出力、ライン出力等）などから外部機器に出力することもできる。
この場合、外部の表示装置によって再生された各映像（前方映像と後方映像）を表示させることができる。
【００５９】
また上述のように本例のビデオカメラは通信機能を備え、例えば図７で説明したように管理局４０（或いはユーザの自宅端末など）に対してデータ送信可能とされる。
このためコントロールユニット１０には通信部５３が設けられる。通信部５３はコントローラ５１の制御に基づいて、送信のためのエンコードや送信用の変調処理、高周波変調・増幅などの処理を行って、アンテナ１２からデータ送信を行う。この送信データは例えば管理局４０によって受信される。
また管理局等からの送信データの受信処理、デコード処理もおこない、受信データをコントローラ５１等に供給する。
【００６０】
この通信部５３に対しては、撮像時において、例えば圧縮部５６からの圧縮合成映像信号Ｐｍｉｘ１が供給される。またメモリカード３０の再生時には、通信部５３に対して、記録再生部５２で再生された圧縮合成映像信号Ｐｍｉｘ２が供給される。
通信部５３は、この圧縮合成映像信号Ｐｍｉｘ１（Ｐｍｉｘ２）について送信処理を行い、管理局４０等に送信する。
つまり、２系統の撮像映像信号を合成し圧縮した状態の映像データを送信することになる。
【００６１】
この場合、受信側となる管理局４０等では、例えばリモートアクセスサーバ４５において図１で説明した受信側の構成を備えていればよい。
例えばリモートアクセスサーバ４５には、図１の受信部１１６，伸長部１０７、タイミング発生部１０８、映像分配部１０９、補間部１１１，１１２を備えるようにする。
すると、リモートアクセスサーバ４５は、受信した圧縮合成映像信号Ｐｍｉｘ１（Ｐｍｉｘ２）について、図３で説明した処理を行うことで、２系統の映像信号ＰＦ’，ＰＲ’を得ることができる。
この映像信号ＰＦ’，ＰＲ’をモニタ４２で表示させることで、管理局４０等においてビデオカメラで撮像された前方映像及び後方映像を見ることができる。もちろん、前方映像及び後方映像をそれぞれ別の映像コンテンツとしてストレージ部４４において記録媒体に記録することもできる。
【００６２】
また、受信側となる管理局４０等では、ストレージ部４４において、図１で説明した再生側の構成を備えていても良い。
即ち、ストレージ部４４の再生系において、図１の伸長部１０７、タイミング発生部１０８、映像分配部１０９、補間部１１１，１１２を備えるようにする。
その場合、リモートアクセスサーバ４５で受信された圧縮合成映像信号Ｐｍｉｘ１（Ｐｍｉｘ２）は、そのままストレージ部４４において記録媒体に１つの映像コンテンツとして記録するようにする。そして当該映像コンテンツの再生時に、伸長部１０７、タイミング発生部１０８、映像分配部１０９、補間部１１１，１１２により図３で説明した処理を行うことで、２系統の映像信号ＰＦ’，ＰＲ’を得ることができる。
この映像信号ＰＦ’，ＰＲ’をモニタ４２で表示させることで、管理局４０等においてビデオカメラで撮像された前方映像及び後方映像を見ることができる。また、ストレージ部４４において再生時に２系統に分離した前方映像及び後方映像をそれぞれ別の映像コンテンツとして記録媒体に再記録することもできる。
【００６３】
また、図７の説明の際には、ビデオカメラにおいて映像データを記録したメモリカード３０を管理局側に受け渡す場合も述べた。図８の説明からわかるようにメモリカード３０には圧縮合成映像信号Ｐｍｉｘ１が記録されている。
従ってその場合、管理局４０のメモリカードスロット４６の再生処理系において、図１の再生系、即ち伸長部１０７、タイミング発生部１０８、映像分配部１０９、補間部１１１，１１２を設け、図３で説明した処理を行うようにすることで、メモリカード３０を再生した際に２系統の映像信号ＰＦ’，ＰＲ’を得ることができる。これによって、映像信号ＰＦ’，ＰＲ’をモニタ４２で表示させることで、管理局４０等においてビデオカメラで撮像された前方映像及び後方映像を見ることができる。また、ストレージ部４４において前方映像及び後方映像をそれぞれ別の映像コンテンツとして記録媒体に再記録することもできる。
【００６４】
なお、図８の構成のビデオカメラにおいて、例えば補間部６０，６１から出力される映像信号ＰＦ’又はＰＲ’を通信部５３に供給し、管理局４０等に送信することも考えられる。この場合、２系統の映像信号の送信であるため、受信側の機器は通常のものでよい。
また、映像合成部５５から出力され圧縮処理される前の合成映像信号Ｐｍｉｘ０や、伸長部５７から出力される伸長処理後の合成映像信号Ｐｍｉｘ３を、通信部５３に供給して送信することも考えられる。
さらに、通信部５３において、同様の構成の他のビデオカメラや管理局４０等から送信されてきた圧縮合成映像信号Ｐｍｉｘ１（Ｐｍｉｘ２）が受信された場合は、その受信した圧縮合成映像信号Ｐｍｉｘ１（Ｐｍｉｘ２）を記録再生部５２に供給してメモリカード３０に１つの映像コンテンツとして記録することができる。また、受信した圧縮合成映像信号Ｐｍｉｘ１（Ｐｍｉｘ２）を伸長部５７に供給して伸長処理させ、さらに映像分配部５９，補間部６０，６１の処理で２系統の映像信号ＰＦ’，ＰＲ’を生成することも可能である。
【００６５】
以上のように図４〜図８で説明した例によれば、上記図１，図２の説明の際に述べた効果、即ち装置構成の簡略化、コストダウン、メモリカード３０への記録容量の節約による長時間撮像の対応、通信データ量の削減等を得ることができる。
また本例の場合、上述したように管理局４０等において図１の再生系又は受信系の構成を備えることで、図４のビデオカメラによる圧縮合成撮像映像をより有効に利用できる。
【００６６】
以上、実施の形態について説明してきたが本発明としてはさらに多様な例が考えられる。
例えば図４〜図８で説明したようなカメラユニット１、コントロールユニット１０の外観は一例であることはもちろんであり、実際のユーザインターフェースのための操作子や表示のための配置、筐体形状などは限定されない。もちろん構成の差異によっても多様な形状が想定される。
カメラユニット１とコントロールユニット１０はケーブル３１で接続されるものとしたが、電波或いは赤外線などを利用したトランスミッタにより撮像映像信号や音声信号が無線伝送されるようにしてもよい。
或いは、カメラユニット１とコントロールユニット１０が図４のように別体ではなく、一体的に形成されてもよい。
【００６７】
また図１では第１，第２カメラ部１０１，１０２、図４では前方カメラ部２ａと後方カメラ部２ｂとして２つのカメラ部を有するものとしたが、３つ以上のカメラ部が設けられてもよい。
３つ以上のカメラ部が設けられる場合も、映像合成部５５の処理は同様に行われればよい。即ちフィールド単位で、各撮像映像信号を選択していけばよい。
またフィールド単位でなく。フレーム単位（２フィールド単位）で切り換えるようにしてもよい。
なお、ノンインターレース方式の撮像映像信号でも、その垂直同期タイミングで切り換えることで同様に映像合成処理が可能である。
【００６８】
また、複数個設けられるカメラ部の全部又は一部に対しては、パン・チルト機構を形成し、撮像方向を上下左右に変更できるようにしてもよい。
パン・チルト動作はユーザーの操作に応じたものとしても良いし、コントローラ５１が自動制御するようにしてもよい。
【００６９】
図４〜図８の例では記録媒体はメモリカード３０としたが、コントロールユニット１０に例えば光ディスク、光磁気ディスクに対応するディスクドライブ装置を設け、ディスク記録媒体に撮像映像を記録するようにしてもよい。もちろん記録媒体として磁気テープメディアを用いるようにしても良い。
【００７０】
図８に示した構成要素としての各ブロックは、全てが必須のものではなく、またこれ以外に構成要素が追加されても良い。
例えば、記録機能を設けず、撮像された映像データは送信出力されるのみとしてもよいし、或いは逆に通信機能を設けず、撮像された映像データは記録処理されるのみとしてもよい。
【００７１】
また、図４〜図８のように複数のカメラ部を有する構成において、１つのカメラ部のみ（例えば前方カメラ部２ａのみ）の撮像を行う場合も考えられるが、その場合は、単に映像合成部５５のフィールド単位の切換を実行しないようにコントローラ５１が制御するのみで対応できる。つまり、例えば前方カメラ部２ａのみを用いる場合は、単に映像合成部５５が撮像映像信号ＰＦ側を継続して選択していればよいだけである。
従って、複数カメラ部による同時撮像と、単独カメラ部による撮像とについて、用途に応じてフレキシブルに切り換えて対応可能である。
【００７２】
また図１又は図８の例では補間部１１１，１１２（又は補間部６０，６１）により、フィールドデータの補間を行うことで、撮像時と同一レートの映像信号を得るようにした。しかしながら、再生された映像の出力先、表示態様、その他の事情に応じては、補間を行わなくても良い場合もある。
例えば図８の例で言えば、補間を行わない場合、映像信号ＰＦ’ＰＲ’は、撮像映像信号ＰＦ’ＰＲ’に比べてフィールド数が半分となり、インターレース方式のデータである場合は、フレーム単位で見れば走査線数が半分のデータとなる。そのまま表示すれば横長の画像となってしまう。換言すれば、そのような画像を表示させるので良い場合は、補間を行わなくても良い。
また、例えば再生映像を縮小表示や画面分割表示をさせたい場合は、走査線数としては既に１／２となっているため都合がよい場合もあり、その場合、補間ではなく、例えば水平方向のデータの間引き処理などが行われることも考えられる。
また、例えばＣＣＴＶ（Ｃｌｏｓｅｄ  Ｃｉｒｃｕｉｔ  ＴＶ）システムのように、映像信号のフィールド信号のみを使用できるシステムの場合、補間処理は不要とすることもできる。
【００７３】
なお、本発明では、図１，図８の例からもわかるように、合成映像信号Ｐｍｉｘ０については圧縮処理を行って圧縮合成映像信号Ｐｍｉｘ１とし、記録媒体に記録したり、送信処理するものとしている。
但し、記録媒体の記録容量、通信レート、映像データ量やその他の事情によっては、圧縮（及び伸長）を行わないで、合成映像信号Ｐｍｉｘ０の段階で記録媒体に記録したり、送信処理するシステムも考えられる。
【００７４】
さらに、上記実施の形態では、映像合成部１０４（５５）に対して同期して供給される映像信号Ｐ１，Ｐ２（ＰＦ、ＰＲ）は、カメラ部によって撮像された撮像映像信号であるとした。
しかしながら本発明の映像信号処理装置、映像信号処理方法においては、これら複数の同期した映像信号供給源が、必ずしもカメラ部等の撮像手段である必要はない。例えば複数の映像再生装置が同期動作を行い、これらによって複数の記録媒体から同時再生された複数系統の同期した再生映像信号について、映像合成部１０４、圧縮部１０５の処理が行われるようにすることも考えられる。
この場合、既に記録媒体に記録された複数の映像コンテンツを、合成して記録媒体に記録したり、送信することが可能となる。
更には、複数系統の同期した映像信号を受信した場合に、各受信映像信号について、映像合成部１０４、圧縮部１０５の処理が行われるようにすることも考えられる。
即ち、複数の映像信号としては、あくまで同期した映像信号であればよく、それら映像信号によって本発明は多様な用途が考えられる。
【００７５】
【発明の効果】
以上の説明から理解されるように本発明によれば、例えば複数の撮像手段等により得られた複数の同期した映像信号を、垂直同期タイミングで選択することで１系統の合成映像信号とする。これにより、圧縮手段としては１系統の合成映像信号に対応すればよいものとなる。記録手段、送信手段も同様に、複数系統の映像信号（撮像映像信号）が合成された後、圧縮された圧縮合成映像信号について、記録又は送信を行えばよい。
さらに、記録媒体から再生された、或いは受信された圧縮合成映像信号については、１系統の伸長手段で圧縮を解除し、また映像分配処理として単に垂直同期タイミングで選択していくことで、元の複数系統の映像信号とすることができる。さらに、合成時のフィールド単位での選択によって失われたフィールドについては、補間処理を行えばよい。
これらのことから、複数系統の同期した映像信号（撮像映像信号）についての、圧縮、記録、送受信、再生、伸長等の処理を行う各部の構成は非常に簡略化され、従って複数系統の同期した映像信号（撮像映像信号）を同時的に処理する信号処理装置、撮像装置、再生装置、受信装置等において、回路規模の小型化、簡略化、コストダウンを実現することができる。また、記録や送信に関しても、そのデータ量を削減でき、長時間記録や通信速度向上等に好適である。
【図面の簡単な説明】
【図１】本発明の基本的な構成概念の説明図である。
【図２】本発明の合成処理の説明図である。
【図３】本発明の映像分配処理の説明図である。
【図４】本発明の実施の形態のビデオカメラの外観の説明図である。
【図５】実施の形態のビデオカメラの使用態様の説明図である。
【図６】実施の形態のビデオカメラの撮像視野角の説明図である。
【図７】実施の形態のビデオカメラを用いたシステム構成の説明図である。
【図８】実施の形態のビデオカメラの構成のブロック図である。
【図９】複数系統の撮像映像信号を得る撮像装置の説明図である。
【符号の説明】
１  カメラユニット、２ａ  前方カメラ部、２ｂ  後方カメラ部、３ａ  前方マイクロフォン、３ｂ  後方マイクロフォン、５ａ，５ｂ  ＣＣＤ部、１０  コントロールユニット、１１，１２１，１２２  表示部、１２  アンテナ、１３  メモリカードスロット、１８  操作キー、３０  メモリカード、３１  ケーブル、３２  公衆回線、４０  管理局、４１  コントローラ、４２  モニタ部、４３操作部、４４  ストレージ部、４５  リモートアクセスサーバ、４６  メモリカードスロット、５１  コントローラ、５２，１０６  記録再生部、５３  通信部、５４，１０３  同期信号発生部、５５，１０４  映像合成部、５６，１０５圧縮処理部、５７，１０７  伸長処理部、５８，１０８  タイミング発生部、５９，１０９  映像分配部、６０，６１、１１１，１１２  補間部、１０１  第１カメラ部、１０２  第２カメラ部、
【図１】
2004320507.tif 000003
【図２】
2004320507.tif 000004
【図３】
2004320507.tif 000005
【図４】
2004320507.tif 000006
【図５】
2004320507.tif 000007
【図６】
2004320507.tif 000008
【図７】
2004320507.tif 000009
【図８】
2004320507.tif 000010
【図９】
2004320507.tif 000011